(57)【要約】【課題】ユーザによる撮影の妨げとなることなく、収納時における電源遮断制御を行うことを可能にする。【解決手段】第１〜第３光センサのいずれかが遮光されていない場合、つまりステップＳ１〜Ｓ３のいずれかがＹＥＳである場合は、デジタルカメラがカバンの中に収納されていない状態である。この状態においは、ステップＳ１〜Ｓ３のいずれからステップＳ４→Ｓ５と進み、電源回路を接続動作してバッテリーからの電力の各部へ供給する。撮影を終了してデジタルカメラをカバン内に収容すると、第１、第２、第３光センサ４１、８１、９１の全てが遮光された状態となる。したがって、ステップＳ１、Ｓ２、Ｓ３の判断が全てＹＥＳとなり、ＣＰＵはステップＳ３からステップＳ７→Ｓ８と進み、電源回路を制御してバッテリーから各部への電力供給を遮断させる。【選択図】図４
2011049911.tif 000002
【特許請求の範囲】
【請求項１】
当該カメラの各部に電力を供給する電源手段と、
当該カメラの外部からの光を検出する複数の光検出手段と、
前記各光検出手段の検出結果に基づき、当該光検出手段が遮光状態である否かを判断する判断手段と、
前記判断手段により全ての光検出手段が遮光状態であると判断された場合、前記電源手段の電力供給を遮断する電源制御手段と
を備えることを特徴とするカメラ。
【請求項２】
前記電源手段の各部に電力を供給を開始させる際に操作される複数の操作子を備え、
前記複数の光検出手段は、前記操作子の近傍に各々配置されていることを特徴とする請求項１記載のカメラ。
【請求項３】
前記複数の光検出手段は、カメラ本体の異なる面に配置されていることを特徴とする請求項１記載のカメラ。
【請求項４】
カメラ本体から突出した使用時状態と当該本体内に退入した格納時状態とに動作する沈胴式光学系と、
前記電源手段により電力を供給されて前記沈胴式光学系を駆動する第１の駆動手段とを備えることを特徴とする請求項１、２又は３記載のカメラ。
【請求項５】
光学系と、
前記光学系を光軸方向に変位させて合焦位置に駆動する第２の駆動手段とを備えることを特徴とする請求項１、２又は３記載のカメラ。
【請求項６】
カメラと当該カメラを収納する収納体とで構成されるカメラユニットであって、
前記カメラは、
当該カメラの各部に電力を供給する電源手段と、
当該カメラの外部からの光を検出する複数の光検出手段と、
前記各光検出手段の検出結果に基づき、当該光検出手段が遮光状態である否かを判断する判断手段と、
前記判断手段により全ての光検出手段が遮光状態であると判断された場合、前記電源手段の電力供給を遮断する電源制御手段とを備え、
前記収納体は、前記複数の光検出手段を遮光状態にして前記カメラを収容するものであることを特徴とするカメラユニット。
【請求項７】
当該カメラの各部に電力を供給する電源の制御方法であって、
当該カメラの外部からの光を検出する複数の光検出手段の検出結果に基づき、各光検出手段が遮光状態である否かを判断する判断ステップと、
前記判断ステップにより全ての光検出手段が遮光状態であると判断された場合、前記電源手段の電力供給を遮断する電源制御ステップと
を含むことを特徴とするカメラにおける電源制御方法。
【発明の詳細な説明】
【技術分野】
【０００１】
本発明は、電源制御機能を備えたカメラ、カメラユニット及びカメラにおける電源制御方法に関する。
【背景技術】
【０００２】
従来、電源制御機能を備えたカメラとして特許文献１及び２に記載の技術が知られている。
特許文献１記載のカメラにあっては、カメラ本体の前面に発光部と受光部とが設けられている。発光部から、例えば所定色の光を照射すると、前方近傍に障害物がある場合には、発光部からの光が障害物に反射して受光部により受光される。したがって、この受光部により受光した外部からの光が所定色である場合には、前方近傍に障害物があるものと判断して、強制的に電源をオフにする。
【０００３】
また、特許文献２記載のカメラにあっては、レンズにより結像される撮像素子から出力される撮像信号の輝度成分や信号レベルに基づき周囲の明るさを判断し、判断された周囲の明るさが基準の明るさ未満であれば、電源投入指示を無効にする。
【０００４】
よって、特許文献１、２に記載の技術によれば、例えば、当該カメラをカバンに入れて搬送中に不用意に電源投入指示がなされたとしても、強制的に電源がオフにされ、あるいは電源投入指示が無効にされる。したがって、カメラを収納して搬送している状態で不意に電源スイッチがオンされたとしても、電源ＯＮのまま放置されることがなく、無用な電力の消費を防ぐことができる。
【先行技術文献】
【特許文献】
【０００５】
【特許文献１】特開２００５−３１２２５号公報
【特許文献２】特開２００７−１６６０４１号公報
【発明の概要】
【発明が解決しようとする課題】
【０００６】
しかしながら、撮影する際のカメラの持ち方、つまり撮影時におけるカメラに対する各指の位置はユーザにより異なり、また撮影時におけるユーザの体勢によってもカメラに対する各指の位置が異なる。したがって、特許文献１記載のカメラにおいて、撮影時にユーザの指が発光部の前方に位置してしまう場合がある。この場合、発光部からの所定色の光が指に反射して受光部により受光されることから、強制的に電源がオフにされてしまい、撮影が妨げられてしまう。
【０００７】
また、カメラの電源を投入する際には、一方の手でカメラを持ち他方の手で電源スイッチを操作することになる。このときの一方の手によるカメラの持ち方、つまり電源スイッチを操作する際におけるカメラの持ち方もユーザにより異なり、当該カメラの外部形状や電源スイッチの配置位置によっても持ち方が異なる。したがって、電源スイッチ投入時におけるカメラの持ち方によっては、前記一方の手の平や指によりレンズの前面が遮蔽されている場合がある。
【０００８】
この場合、レンズの前面が遮蔽されることにより、撮像素子から出力される撮像信号の輝度成分や信号レベルは著しく低下してしまう。すると、特許文献２記載のカメラにおいては、撮像信号の輝度成分や信号レベルに基づき周囲の明るさが基準の明るさ未満であると誤判断してしまい、電源スイッチのオン操作によるユーザ電源投入指示を無効にする。その結果、ユーザが電源スイッチをオンにして撮影を開始しようとしたにも拘わらず、電源投入指示が無効にされて撮影が妨げられてしまう。
【０００９】
本発明は、かかる従来の課題に鑑みてなされたものであり、ユーザによる撮影の妨げとなることなく、収納時における電源遮断制御を行うことのできるカメラ、カメラユニット及びカメラにおける電源制御方法を提供することを目的とする。
【課題を解決するための手段】
【００１０】
前記課題を解決するため本発明に係るカメラにあっては、当該カメラの各部に電力を供給する電源手段と、当該カメラの外部からの光を検出する複数の光検出手段と、前記各光検出手段の検出結果に基づき、当該光検出手段が遮光状態である否かを判断する判断手段と、前記判断手段により全ての光検出手段が遮光状態であると判断された場合、前記電源手段の電力供給を遮断する電源制御手段とを備えることを特徴とする。
【００１１】
また、本発明に係るカメラユニットにあっては、カメラと当該カメラを収納する収納体とで構成されるカメラユニットであって、前記カメラは、当該カメラの各部に電力を供給する電源手段と、当該カメラの外部からの光を検出する複数の光検出手段と、前記各光検出手段の検出結果に基づき、当該光検出手段が遮光状態である否かを判断する判断手段と、前記判断手段により全ての光検出手段が遮光状態であると判断された場合、前記電源手段の電力供給を遮断する電源制御手段とを備え、前記収納体は、前記複数の光検出手段を遮光状態にして前記カメラを収容するものであることを特徴とする。
【００１２】
また、本発明に係るカメラにおける電源制御方法にあっては、当該カメラの各部に電力を供給する電源の制御方法であって、当該カメラの外部からの光を検出する複数の光検出手段の検出結果に基づき、各光検出手段が遮光状態である否かを判断する判断ステップと、前記判断ステップにより全ての光検出手段が遮光状態であると判断された場合、前記電源手段の電力供給を遮断する電源制御ステップとを含むことを特徴とする。
【発明の効果】
【００１３】
本発明によれば、複数の光検出手段が全て遮光状態であると判断された場合には、各部に電力を供給する電源を遮断するようにしたことから、撮影する際のカメラの持ち方やユーザの体勢によって、撮影時にユーザの指がいずれかの光検出手段の前方に位置してしまても、強制的に電源が遮断されることはない。
【００１４】
また、一方の手でカメラを持ち他方の手で電源スイッチを操作する際におけるカメラの持ち方により、前記一方の手の平や指によりレンズの前面が遮蔽されている場合であっても、強制的に電源が遮断されることはない。
【００１５】
他方、当該カメラをカバンに入れて搬送した際には、複数の光検出手段が全て遮光状態と判断されることから、搬送している状態で不意に電源スイッチがオンされたとしても、電源ＯＮのまま放置されることを防止することができる。
【００１６】
よって、撮影時における強制的な電源遮断を回避してユーザによる撮影の妨げとなることなく、収納時における不意な電源投入を防止し、収納時に電力が各部に供給されることによる無用な電力消費を防止することができる。
【図面の簡単な説明】
【００１７】
【図１】（Ａ）は本発明の一形態に係るデジタルカメラの平面図、（Ｂ）は正面図である。
【図２】（Ａ）は同デジタルカメラの右側面図、（Ｂ）は背面図である。
【図３】本発明の一実施の形態に係るデジタルカメラの回路構成を示すブロック図である。
【図４】同実施の形態の処理手順を示すフローチャートである。
【図５】同実施の形態におけるカバン内にデジタルカメラを収納した状態の透視斜視図である。
【発明を実施するための形態】
【００１８】
以下、本発明の一実施の形態を図に従って説明する。
図１（Ａ）は本発明の一実施の形態に係るデジタルカメラ１の平面図、同図（Ｂ）は正面図、図２（Ａ）は右側面図、同図（Ｂ）背面図である。このデジタルカメラ１の前面部には、沈胴式レンズ部２が設けられており、上面部には電源ボタン４とシャッターキー５とが設けられている。電源ボタン４の近傍であって当該電源ボタン４を押下する際に指で隠れる範囲内には、第１光センサ４１が配置されている。
【００１９】
前記沈胴式レンズ部２は、径の異なる複数のレンズ筒３を摺動自在に内嵌させることにより、デジタルカメラ１の本体６から外部に突出したレンズオープン状態と、本体６内に後退したレンズクローズ状態とに伸縮自在であって、内部に複数のレンズからなる光学系７が配置されている。
【００２０】
また、背面部には、液晶モニタ２３が設けられているとともに、液晶モニタ２３の周部に撮影ボタン８、再生ボタン９、ページ送り・戻しキー１１が設けられている。ページ送り・戻しキー１１は、シーソー式のキーであって左右端部に対する操作に応じて、ページ戻し指示とページ送り指示とを発生し、上下端部に対する操作に応じて液晶モニタ２３に表示される「↑」「↓」に対応する指示を発生するキーである。このページ送り・戻しキー１１の中心部にはＳＥＴキー１２が設けられている。
【００２１】
前記撮影ボタン８と再生ボタン９とは、電源ＯＮ／ＯＦＦキーとしての機能も兼ねるものである。そして、撮影ボタン８の近傍であって当該撮影ボタン８を押下する際に指で隠れる範囲内には、第２光センサ８１が配置され、再生ボタン９の近傍であって、当該再生ボタン９を押下する際に指で隠れる範囲内には、第３光センサ９１が配置されている。
【００２２】
図３は、本体６内に設けられたデジタルカメラ１の回路構成を示すブロック図である。このデジタルカメラ１は、ＡＦ機能とともにＡＥ、ＡＷＢ等の一般的な機能をも有するものである。したがって、レンズブロック３１には、ズームレンズ、フォーカスレンズ等の前記光学系７、及び光学系７を駆動するための駆動機構が含まれており、前記光学系７は、駆動機構に設けられているモーター３２によって光軸方向に駆動される。また、前記沈胴式レンズ部２にもこれを駆動する駆動機構が含まれており、沈胴式レンズ部２は駆動機構に設けられているモーター３３によって進退駆動される。
【００２３】
なお、本実施の形態において、前記ＡＦは、フォーカスレンズを光軸方向に移動させながら、各位置で撮像した画像のＡＦ評価値（コントラスト値）を検出し、ＡＦ評価値のピーク位置を合焦位置とするコントラスト検出方式である。
【００２４】
デジタルカメラ１全体を制御するＣＰＵ１３には、バス１４及びタイミング発生器（ＴＧ：Timming Generator）１５を介してモータードライバ１６、１７が接続されており、モータードライバ１６は、ＣＰＵ１３の命令に従いタイミング発生器１５が発生するタイミング信号に基づき前記モーター３２を駆動し、モータードライバ１６は前記モーター３３を駆動する。
【００２５】
また、このデジタルカメラ１は撮像素子としてＣＣＤ１８を有している。ＣＣＤ１８は、レンズブロック３１の光軸上に配置されており、被写体は、レンズブロック３１によってＣＣＤ１８の受光面に結像される。ＣＣＤ１８は、ＣＰＵ１３の命令に従いタイミング発生器１５が生成するタイミング信号に基づき垂直及び水平ドライバ１９によって駆動され、被写体の光学像に応じたアナログの撮像信号をユニット回路２０に出力する。ユニット回路２０は、ＣＣＤ１８の出力信号に含まれるノイズを相関二重サンプリングによって除去するＣＤＳ回路や、ノイズが除去された撮像信号をデジタル信号に変換するＡ／Ｄ変換器等から構成され、デジタルに変換した撮像信号を画像処理部２１へ出力する。
【００２６】
画像処理部２１は、入力した撮像信号に対しペデスタルクランプ等の処理を施し、それを輝度（Ｙ）信号及び色差（ＵＶ）信号に変換するとともに、オートホワイトバランス、輪郭強調、画素補間などの画品質向上のためのデジタル信号処理を行う。画像処理部２１で変換されたＹＵＶデータは順次ＳＤＲＡＭ２２に格納されるとともに、ＲＥＣスルーモードでは１フレーム分のデータ（画像データ）が蓄積される毎にビデオ信号に変換され、後述するバックライトユニット２４を備える前記液晶モニタ２３へ送られてスルー画像として画面表示される。
【００２７】
そして、シャッターキー５の操作をトリガとして、ＣＰＵ１３は、ＣＣＤ１８、垂直及び水平ドライバ１９、ユニット回路２０、及び画像処理部２１に対してスルー画撮影モード（ＲＥＣスルーモード）から静止画撮影モードへの切り替えを指示し、この静止画撮影モードによる撮影処理により得られ、ＳＤＲＡＭ２２に一時記憶された画像データは、ＣＰＵ１３により圧縮され、最終的には所定のフォーマットの静止画ファイルとして外部メモリ２５に記録される。この外部メモリ２５に記録された静止画ファイルは、ＰＬＡＹモードにおいてページ送り・戻しキー１１の操作に応じて選択されてＣＰＵ１３に読み出されるとともに伸張され、ＹＵＶデータとしてＳＤＲＡＭ２２に展開された後、液晶モニタ２３に表示される。
【００２８】
フラッシュメモリ２６には、ＣＰＵ１３に前記各部を制御させるための各種のプログラム、例えばＡＥ、ＡＦ、ＡＷＢ制御用のプログラムや、ＣＰＵ１３を本発明における各種手段等として機能させるためのプログラム等の各種のプログラムが格納されている。
【００２９】
また、デジタルカメラ１は、図１に示した各種キー４、８〜１２等の複数の操作キー及びスイッチを含むキー入力部２７、ニッケル水素電池等の充電可能なバッテリー２８、このバッテリー２８の電力を各部に供給し又は遮断する電源回路２９、及びこれらを制御するマイコン３０を有している。
【００３０】
マイコン３０は、キー入力部２７における前記キーの操作の有無を定常的にスキャンしており、ユーザによっていずれかの操作キーが操作されると、その操作内容に応じた操作信号をＣＰＵ１３へ送る。また、マイコン３０は、ＣＰＵ１３からの指示に従って動作し、電源回路２９を制御してバッテリー２８からの電力を各部に供給させ、あるいは各部への電力供給を遮断させる。
【００３１】
また、前記第１光センサ４１、第２光センサ８１、第３光センサ９１は、バス１４を介してＣＰＵ１３に接続されている。これら光センサ４１、８１、９１は、当該デジタルカメラ１の外部からの光を受光し、受光量に応じてレベルが変化する信号を出力するものであり、フォトダイオード、フォトトランジスタ等を用いられる。したがって、ＣＰＵ１３は、これら光センサ４１、８１、９１からの出力信号レベルと、予めフラッシュメモリ２６に記憶されている基準レベルとを比較し、出力信号レベルが基準レベル以上である場合には当該センサは遮光されていないと判断し、出力信号レベルが基準レベル未満である場合には、当該センサは遮光されていると判断する判断手段として機能する。
【００３２】
以上の構成に係る本実施の形態において、ＣＰＵ１３は前記フラッシュメモリ２６に格納されているプログラムに基づき、図４のフローチャートに示す処理を実行する。すなわち、ＣＰＵ１３は、第１光センサ４１の出力信号レベルと前記基準レベルとを比較することにより、第１光センサ４１が、遮光されたか否かを判断する（ステップＳ１）。第１光センサ４１が遮光されている場合には、第２光センサ８１が遮光されているか否かを判断し（ステップＳ２）、第１光センサ４１及び第２光センサ８１が遮光されている場合には、第３光センサ９１が遮光されているか否かを判断する（ステップＳ３）。
【００３３】
このとき、第１光センサ４１はデジタルカメラ１の上面部に配置され、第２及び第３光センサ８１、９１はデジタルカメラ１の背面部に配置されており、第１光センサ４１と第２及び第３光センサ８１、９１とはデジタルカメラ１の異なる面に配置されている。したがって、デジタルカメラ１が後述するカバン６０から取り出されていて、ユーザが片手で握持している状態にあるとするとき、片手の平や指で全ての光センサ４１、８１、９１が隠蔽される可能性を回避することができる。
【００３４】
また、第１光センサ４１は電源ボタン４の近傍であって当該電源ボタン４を押下する際に指で隠れる範囲内に配置されている。したがって、電源ボタン４を操作して電源をオンにした後は、電源ボタン４から指を離すことから、電源オン後において第１光センサ４１は遮光されない状態とすることができる。また、第２光センサ８１及び第３光センサ９１は、それぞれ電源ＯＮ／ＯＦＦキーとしての機能も兼ねる撮影ボタン８、再生ボタン９の近傍であって当該電源ボタン４を押下する際に指で隠れる範囲内に配置されている。したがって、撮影ボタン８又は再生ボタン９を操作して電源をオンにした後は、電源ボタン４から指を離すことから、電源オン後において第１光センサ４１は遮光されない状態することができる。
【００３５】
そして、ステップＳ１〜Ｓ３のいずれかがＮＯであって、第１、第２、第３光センサ４１、８１、９１のいずれかが遮光されていない状態にある場合には、ステップＳ１〜Ｓ３のいずれからステップＳ４に進み、電源フラグＰＦが「１」となっているか否かを判断する。
【００３６】
この電源フラグＰＦは、「１」、「０」により下記の状態を示すフラグである。
ＰＦ＝１：電源回路２９が接続動作してバッテリー２８からの電力を各部に供給している          状態であることを示す。
ＰＦ＝０：電源回路２９が遮断動作してバッテリー２８からの電力の各部への供給を停止          している状態であることを示す。
【００３７】
そして、ＰＦ＝１であって、電源回路２９が動作してバッテリー２８からの電力を各部に供給している状態にあるならば、ステップＳ４からステップＳ１に戻る。したがって、ユーザがデジタルカメラ１を使用している状態ある場合には、「Ｓ１又はＳ２又はＳ３→Ｓ４→Ｓ１」のループが繰り返される。これにより、デジタルカメラ１の各部には、バッテリー２８からの電力が供給され、モーター３２を動作させてＡＦを伴いつつ撮影を行う等の使用が可能となる。また、撮影を終了して前記電源ＯＮ／ＯＦＦキーをオフ操作した際には、モーター３３が動作して沈胴式レンズ部２を本体６内に後退したレンズクローズ状態にする等が可能となる。
【００３８】
このように、撮影を終了して沈胴式レンズ部２をレンズクローズ状態にしたならば、図５に示すように、デジタルカメラ１をカバン６０内に収容し、カバン６０の出入口を閉鎖する。これにより、デジタルカメラ１は出入口を閉鎖されて内部が暗室であるカバン６０内に収納された状態となる。これにより、第１、第２、第３光センサ４１、８１、９１の全てが遮光された状態となる。
【００３９】
したがって、前記繰り返されているループ「Ｓ１又はＳ２又はＳ３→Ｓ４→Ｓ１」において、ステップＳ１、Ｓ２、Ｓ３の判断が全てＹＥＳとなり、ＣＰＵ１３はステップＳ３からステップＳ７に進んでＰＦ＝０となっているか否かを判断する。このとき、デジタルカメラ１をカバン６０内に収納した直後であると、電源回路２９は接続動作を継続しており、バッテリー２８からの電力を各部に供給している状態であって、ＰＦ＝１の状態にある。
【００４０】
したがって、ＰＦ＝１の状態であることによりステップＳ７の判断はＮＯとなり、ＣＰＵ１３はステップＳ８に進んでマイコン３０に電源遮断を指示する。すると、マイコン３０は、ＣＰＵ１３からの指示に従って動作し、電源回路２９を制御してバッテリー２８から各部への電力供給を遮断させる。
【００４１】
よって、デジタルカメラ１をカバン６０内に収納した際、あるいは収納後搬送している状態で、外力等により電源ＯＮ／ＯＦＦキーとしての機能を兼ねる撮影ボタン８や再生ボタン９がオン動作したとしても、電力が各部に供給されることはなく、バッテリー２８の無用な電力消費を未然に防止することができる。
【００４２】
また、各部への電力供給が遮断されることから、収納状態においてモーター３３が不意に動作することもない。したがって、沈胴式レンズ部２が障害物となるカバン６０の内面に向かって繰り出されることがなく、沈胴式レンズ部２に無理な外力が作用することを未然に防止することができ、その結果、破損を防止することができる。
【００４３】
また、収納状態においてモーター３２が不意に動作することもない。したがって、モーター３２によるズーム動作やフォーカス動作に伴って、光学系７が光軸方向に駆動されることがなく、光学系７に無理な外力が作用することを未然に防止することができ、その結果、破損を防止することができる。
【００４４】
そして、ステップＳ８に続くステップＳ９でＣＰＵ１３は、電源回路２９が遮断動作してバッテリー２８からの電力の各部への供給を停止している状態であることを示すべく、電源フラグＰＦを「０」にして、ステップＳ１に戻る。したがって、デジタルカメラ１がカバン６０内に収納されている状態においては、「Ｓ１→Ｓ２→Ｓ３→Ｓ７→Ｓ１」のループが繰り返されて、電源遮断状態が維持される。
【００４５】
また、ユーザが再度撮影を行うべく、デジタルカメラ１をカバン６０から取り出すと、第１、第２、第３光センサ４１、８１、９１の少なくとも１つは、遮光されていない状態となる。したがって、前記繰り返されている「Ｓ１→Ｓ２→Ｓ３→Ｓ７→Ｓ１」のループにおいて、ステップＳ１、Ｓ２、Ｓ３のいずれかの判断がＮＯとなり、ＣＰＵ１３はステップＳ４に進んでＰＦ＝１となっているか否かを判断する。このとき、デジタルカメラ１をカバン６０から取り出した直後であると、電源回路２９は遮断動作を継続しており、バッテリー２８からの電力の各部への供給を停止している状態であって、ＰＦ＝０の状態にある。
【００４６】
したがって、ステップＳ４の判断はＮＯとなりステップＳ５に進んで、ＣＰＵ１３はマイコン３０に電源接続を指示する。すると、マイコン３０は、ＣＰＵ１３からの指示に従って動作し、電源回路２９を制御してバッテリー２８からの電力を各部に供給させる。よって、デジタルカメラ１をカバン６０外に取り出した後は、キー入力部２７にて所望のキーを操作することにより、撮影や再生を行うことが可能となる。そして、ステップＳ５に続くステップＳ６でＣＰＵ１３は、電源回路２９が接続動作してバッテリー２８からの電力の各部への供給されている状態であることを示すべく、電源フラグＰＦを「１」にして、ステップＳ１に戻る。
【００４７】
なお、出入口を閉鎖すると内部が暗室となるカバン６０はデジタルカメラ１を収容する収容体として、デジタルカメラ１とユニット化して販売する。このようにデジタルカメラ１とカバン６０からとをユニットにして一体に通流させれば、デジタルカメラ１をカバン６０に内に収容して搬送する際に、確実に全光センサ４１、８１、９１を遮光して前記制御を確実なものにすることができる。
【００４８】
しかし、デジタルカメラ１を収容する収容体は図示したカバン６０のようなデザインや形状のものにかぎるものではなく、デジタルカメラ１の各面にフィットするようなデジタルカメラ１の外形とほぼ同様の形状であってもよいし、巾着袋のように出入口を紐等で緊締できるものであってもよい。
【００４９】
また、実施の形態においては、デジタルカメラ１に３個の光センサを配置するようにしたが、光センサの配置数はこれに限ることなく、複数であればよい。また、光センサをデジタルカメラ１の上面部と背面部とに配置するようにしたが、配置する面もこれに限るものではなく、正面や左右側面等の他の面に配置するようにしてもよい。さらに、本実施の形態においては、光センサを電源オン機能を有するボタンの近傍であって当該ボタンを押下する際に指で隠れる範囲内に配置するようにしたが、光センサの配置部位はこれに限定されるものではない。
【符号の説明】
【００５０】
１    デジタルカメラ
２    沈胴式レンズ部
３    レンズ筒
４    電源ボタン
５    シャッターキー
６    本体
７    光学系
８    撮影ボタン
９    再生ボタン
１３    ＣＰＵ
１４    バス
１５    タイミング発生器
１６    モータードライバ
１８    ＣＣＤ
２２    ＳＤＲＡＭ
２３    液晶モニタ
３１    レンズブロック
４１    第１光センサ
８１    第２光センサ
９１    第３光センサ
【図１】
2011049911.tif 000003
【図２】
2011049911.tif 000004
【図３】
2011049911.tif 000005
【図４】
2011049911.tif 000006
【図５】
2011049911.tif 000007